(57)【要約】【課題】液体が筐体内部に侵入した場合であっても、発火などの重大な不具合を防止できるとともに、液体の侵入経路を容易に特定でき、侵入した液体をも容易に特定できる、電子機器を提供することを課題とする。【解決手段】実施形態に係る電子機器は、筐体を有し、その内部に電子部品を有する。筐体は、例えば外部機器を接続するコネクタ周りなど、液体（異物）が侵入可能な隙間（侵入口）を有し、この隙間を介して外部から液体が侵入する場合がある。隙間を介して筐体の外部から侵入した液体は、捕集手段の毛細管現象に基づく吸着力によって捕集される。【選択図】      図７
2014229707.tif 000002
【特許請求の範囲】
【請求項１】
液体が侵入可能な侵入口を有する筐体と、
この筐体の内部に設けられた電子部品と、
上記侵入口を介して上記筐体の外部から侵入した液体に毛細管現象に基づく吸着力を作用させて捕集する捕集手段と、
を有する電子機器。
【請求項２】
上記捕集手段は、上記筐体の表面に形成した微細な多数の流路を含む、請求項１の電子機器。
【請求項３】
上記流路は、上記侵入口を介して侵入した液体が上記電子部品を避けるようなパターンを有する、請求項２の電子機器。
【請求項４】
上記流路は、上記侵入口を介して侵入した液体を上記電子部品へ導くようなパターンを有する、請求項２の電子機器。
【請求項５】
上記捕集手段は、多孔質部材を含む、請求項１または請求項２の電子機器。
【請求項６】
上記多孔質材料は、上記侵入口に沿って点在している、請求項５の電子機器。
【請求項７】
上記電子部品を実装した基板をさらに有し、
上記捕集手段は、この基板の表面に設けられている、
請求項１または請求項２の電子機器。
【請求項８】
上記捕集手段は、上記基板の表面に形成した微細な多数の流路を含む、請求項７の電子機器。
【請求項９】
上記流路は、上記侵入口を介して侵入した液体が上記電子部品を避けるようなパターンを有する、請求項８の電子機器。
【請求項１０】
上記流路は、上記侵入口を介して侵入した液体を上記電子部品へ導くようなパターンを有する、請求項８の電子機器。
【発明の詳細な説明】
【技術分野】
【０００１】
本発明の実施形態は、多数の電子部品を有する電子機器に関する。
【背景技術】
【０００２】
パーソナルコンピュータ（以下、単にパソコンと称する）などの電子機器は、仕事場や家庭など様々な使用環境に置かれる。このため、飲み物をこぼしたり、花瓶の水をこぼしたり、ペットの尿がかかったりして、故障する場合がある。
【先行技術文献】
【特許文献】
【０００３】
【特許文献１】特開２００８−１４８９９４号公報
【発明の概要】
【発明が解決しようとする課題】
【０００４】
上述した使用環境では、ユーザーの不注意による事故を避けることは難しい。電子機器の内部に液体が侵入すると、回路基板の配線や電子部品の端子同士がショートして、最悪の場合、発火するおそれがある。
【０００５】
また、液体が侵入してから時間が経つと、液体が基板の配線や部品の端子を腐食して変質し、侵入した液体の種類を特定し難くなる。さらに、時間が経って液体が乾いてしまうと、液体の侵入経路も分かり難くなる。このような場合、故障の原因を調べるのも難しくなる。
【０００６】
よって、液体が筐体内部に侵入した場合であっても、発火などの重大な不具合を防止できるとともに、液体の侵入経路を容易に特定でき、侵入した液体をも容易に特定できる、電子機器の開発が望まれている。
【課題を解決するための手段】
【０００７】
実施形態に係る電子機器は、筐体を有し、その内部に電子部品を有する。筐体は、例えば外部機器を接続するコネクタ周りなど、液体（異物）が侵入可能な隙間（侵入口）を有し、この隙間を介して外部から液体が侵入する場合がある。隙間を介して筐体の外部から侵入した液体は、捕集手段の毛細管現象に基づく吸着力によって捕集される。
【図面の簡単な説明】
【０００８】
【図１】図１は、実施形態に係る電子機器に組み込まれるプリント回路基板を示す概略図である。
【図２】図２は、図１の領域Ｒ２を部分的に拡大した部分拡大図である。
【図３】図３は、図１の領域Ｒ３を部分的に拡大した部分拡大図である。
【図４】図４は、第１の実施形態に係る電子機器を示す概略図である。
【図５】図５は、図４の電子機器の本体背面を示す概略図である。
【図６】図６は、図４の電子機器の本体表面側の筐体の一部を取り除いた領域Ｒ６を部分的に拡大した部分拡大図である。
【図７】図７は、図６で取り除いた筐体の裏面を図４の領域Ｒ７で部分的に拡大した部分拡大図である。
【図８】図８は、図６のプリント回路基板にインシュレータを取り付けた状態の部分拡大図である。
【図９】図９は、第２の実施形態に係る電子機器の本体表面側の一部の構成を部分的に拡大した部分拡大図である。
【図１０】図１０は、図９の電子機器の本体表面側の筐体を取り除いた状態の部分拡大図である。
【図１１】図１１は、第３の実施形態に係る電子機器の背面を右斜め上方から見た外観斜視図である。
【図１２】図１２は、図７および図１０の捕集パターンの第１の例を示す概略図である。
【図１３】図１３は、図７および図１０の捕集パターンの第２の例を示す概略図である。
【図１４】図１４は、図７および図１０の捕集パターンの第３の例を示す概略図である。
【図１５】図１５は、図７および図１０の捕集パターンの第４の例を示す概略図である。
【図１６】図１６は、図７および図１０の捕集パターンの第５の例を示す概略図である。
【図１７】図１７は、図７および図１０の捕集パターンの第６の例を示す概略図である。
【図１８】図１８は、図７および図１０の捕集パターンの代わりに取り付けられる多孔質部材を示す概略図である。
【発明を実施するための形態】
【０００９】
以下、図面を参照しながら実施形態について詳細に説明する。  
まず、図１乃至図３を参照して、実施形態に係る電子機器に組み込まれるプリント回路基板１（以下、単に、基板１と称する）の一例について説明する。図１は基板１の全体図であり、図２は図１の領域Ｒ２を部分的に拡大した部分拡大図であり、図３は図１の領域Ｒ３を部分的に拡大した部分拡大図である。
【００１０】
この基板１は、多数の電子部品を実装した表面１ａを有し、この表面１ａ上に、ここでは図示しない配線パターンが形成されている。基板１は、後述する電子機器の筐体内部に位置決めして固定される。
【００１１】
本実施形態では、電子部品として、例えば、複数のコンデンサ２（ここでは一部のみ図示）、電源ジャック４、および３つのヒューズ６が基板１の表面１ａに実装されている。この他に、基板１の周縁部近くの表面１ａには、図示しない外部機器を接続するための例えばＵＳＢコネクタなどの複数のコネクタ類８が取り付けられている。コネクタ類８は、基板１を筐体内に取り付けた状態で、筐体の図示しない開口部を介して、筐体の外側にその差込口が露出する。この他に、基板１の表面１ａには、図示のような或いはここでは図示を省略した種々の電子部品が実装されている。
【００１２】
これら電子部品のうち、コンデンサ２や電源ジャック４は、ショートすると発煙したり焼損が発生したりする可能性のある電子部品であり、ショートさせたくない電子部品に属する。ショートさせたくない構成として、この他に、基板１の表面１ａに実装された電源回路や機器本体１２内に収容配置されたバッテリーなど、高電圧のかかる構造体が考えられる。焼損による発火は、例えば、機器本体１２内で堆積した埃に引火することで起きる。
【００１３】
一方、ヒューズ６は、後述するように液体が筐体内に侵入した際には、積極的にショートさせることで回路全体に過剰な電流が流れることを防止することができるため、積極的にショートさせる電子部品に属する。
【００１４】
図４は、第１の実施形態に係る電子機器としてのノート型のパーソナルコンピュータ１０（以下、単に、ノートＰＣ１０と称する）の概略図である。ここでは、ノートＰＣ１０の表示筐体１１の一部を破断して図示し、機器本体１２の表面側の概略構造を図示している。また、図５は、このノートＰＣ１０の機器本体１２の背面側の構造を示す概略図である。
【００１５】
ノートＰＣ１０の機器本体１２は、上記のような基板１を内部に収容して固設した表面側および背面側の筐体１３、１４を有する。表面側の筐体１３の上には表示筐体１１が閉じられる。基板１自体の構造や電子部品のレイアウトは必ずしも図１と同じではないが、コンデンサ２、電源ジャック４、ヒューズ６、コネクタ類８などの電子部品を実装した基板をここでは総称して基板１として説明する。
【００１６】
図４に示すように、表面側の筐体１３には、キーボード１５を露出するための比較的大きな矩形の開口部１６やマウスパッド１７を配置するための比較的小さな矩形の開口部１８が設けられている。また、キーボード１５の図示上方の筐体１３の一部１３ａ（図７に裏面側の構造の一部を図示）は、他の部位と分離して取り外し可能な構造を有する。そして、この筐体部分１３ａには、スピーカ用の複数の孔からなる孔群１３ｂ（侵入口）が筐体を貫通して設けられている。
【００１７】
また、図５に示すように、背面側の筐体１４には、吸気および排気のための小さな多数の孔を集合させた孔群からなる通気孔１９（侵入口）が筐体１４を貫通して複数個所に設けられている。この他に、筐体１３、１４の図示左右の側面には、上述したコネクタ類８の差込口を露出するための複数の開口部（侵入口）（図示省略）が設けられている。
【００１８】
このため、例えば、コップの水（液体）を表面側の筐体１３の上にこぼした場合、キーボード１５を配置した開口部１６の隙間（侵入口）、マウスパッド１７を配置した開口部１８の隙間（侵入口）、筐体部分１３ａの周囲の隙間（侵入口）、スピーカのための孔群１３ｂ、コネクタ類８のための開口部などを介して、筐体内部に水が侵入する可能性がある。この場合、筐体１３の裏面から基板１の表面１ａ（および／或いは裏面）を伝って、或いは筐体１３の裏面を伝って直接落下した水が、上述したショートさせたくない電子部品に属するコンデンサ２や電源ジャック４、或いは電源回路にかかると、ショートして焼損が発生する可能性がある。
【００１９】
本実施形態では、このような不具合を防止するため、筐体１３、１４の裏面（機器本体１２の内部に向く面）の適当な位置に捕集手段として機能する捕集パターンＰを設けた。以下、この「外的異物捕集筐体」の捕集パターンＰの一例について説明する。
【００２０】
図６は、表面側の筐体部分１３ａを取り外した状態における、図４の領域Ｒ６の機器本体１２の部分拡大図であり、図７は、図４の領域Ｒ７における筐体部分１３ａの裏面の部分拡大図であり、図８は、図６の機器本体１２の内部に配置された基板１の一部をインシュレータ２１で覆った状態の概略図である。ここでは、筐体部分１３ａに設けたスピーカ用の孔群１３ｂを介して水が浸入する場合を想定する。
【００２１】
筐体部分１３ａの裏面には、孔群１３ｂにつながる捕集パターンＰが設けられている。捕集パターンＰは、スピーカ用の孔群１３ｂの周囲を囲むようにレイアウトされ、ここでは図示しない基板１のエッジから外側へ離れる方向に延びている。捕集パターンＰは、このパターンに重なる位置、および／或いはこのパターンに近接する位置に上述したコンデンサ２や電源ジャック４などショートさせたくない電子部品が配置されないように、これらの電子部品を避けて水が導かれるようにレイアウトされている。
【００２２】
本実施形態の捕集パターンＰは、筐体部分１３ａの裏面に格子状の微細な溝状の流路を形成したものであり、筐体部分１３ａをモールド成形する際に同時に形成される。つまり、このような微細な溝を形成するための金型を用いる。この捕集パターンＰは、溝を設けることで筐体の機械強度が低下することのない位置およびサイズにすることが望ましい。
【００２３】
より具体的には、捕集パターンＰの各溝は、幅１００μｍ、深さ５０μｍ程度の複数本のヘアラインを互いに交差させたものであり、水などの液体に対して毛細管力を作用させて吸引する機能を有する。捕集パターンＰは、本実施形態のように筐体の裏面に真っ直ぐな溝を形成したものの他に、種々の形状の窪みや穴、ドット、エンボス、微小突起など、液体に毛細管力を作用させることのできる構造であればいかなるものであっても良い。捕集パターンＰの例については後述する。
【００２４】
しかして、筐体部分１３ａの孔群１３ｂを介して筐体内に侵入した水は、孔群１３ｂの直ぐ近くにある筐体部分１３ａの裏面の捕集パターンＰの毛細管現象によって吸引され、その侵入経路が所望する方向（本実施形態では基板１から離れる方向）に指向され、且つ吸引した水が捕集パターンＰの溝内にトラップされる。本実施形態では、これにより、少なくとも、ショートさせたくない電子部品に水がかかる不具合を防止でき、不所望に侵入した水の経路を所望する方向にコントロールできる。
【００２５】
また、捕集パターンＰの溝内に吸引された水は、筐体部分１３ａの孔群１３ｂを介して直接溝にトラップされているため、例えば基板１に侵入した水が配線パターンや端子類を腐食したものではないことから、トラップした液体が何であるか（本実施形態の場合、水であることが）後の成分分析によって容易に判別できる。
【００２６】
さらに、捕集パターンＰの溝内に一旦トラップされた水は、筐体部分１３ａの外側を拭き取った場合であっても、溝内に残渣物として僅かにその痕跡が残るため、水の浸入経路を容易に特定することができる。なお、この際、水の浸入経路をより分かり易くするため、捕集パターンＰの溝に特殊な表面加工を施したり、一旦水で濡れることによって色調が変化する材料を使ったり、各種化学分析（ＦＴ−ＩＲ、ＳＥＭ／ＥＤＸ、ＥＰＭＡ）を容易にする構造（金属蒸着など）を採用したりしても良い。
【００２７】
なお、図８に示すように、基板１の表面１ａ上の上述した捕集パターンＰに重なる位置には、インシュレータ２１が取り付けられており、比較的多くの水が孔群１３ｂを介して浸入した場合であっても、基板１の表面１ａに直接水がかかるような不具合が生じることはない。しかし、インシュレータ２１の外面を介して基板１の表面１ａに水が伝わる可能性も考えられる。また、インシュレータ２１の有無にかかわらず筐体から直接基板に水が伝わる可能性もある。このような場合を想定して、基板１の表面１ａに上述した捕集パターンＰを設けても良い。
【００２８】
この場合、基板１に設ける捕集パターンＰは、上述したコンデンサ２や電源ジャック４などのショートさせたくない電子部品を避けるようにレイアウトすることが望ましい。或いは、捕集パターンＰは、ヒューズ６などの積極的にショートさせる電子部品へ水を導くようにレイアウトしても良い。後者の場合、筐体内に水が浸入したとき、最初にヒューズ６をショートさせて通電を遮断することができるため、基板１の配線パターンに過剰な電流が流れる不具合を防止することができる。この場合、ヒューズ６をショートさせた後で、コンデンサ２や電源ジャック４に水がかかってもこれらの電子部品がショートする不具合を生じることはない。
【００２９】
なお、ここでは、筐体部分１３ａの孔群１３ｂを介して水が浸入した場合を想定したが、これに限らず、上述したキーボード１５の周囲の開口部１６の隙間、マウスパッド１７の周囲の開口部１８の隙間、筐体部分１３ａの周囲の隙間、背面側筐体１４の通気孔１９、コネクタ類８の開口部の隙間など、他の侵入口を介して液体が機器本体１２内に侵入する場合も考えられる。このため、これら各侵入口に対応して、筐体の裏面や基板１の表面或いは裏面に、上述したような捕集パターンＰを形成しても良い。このように、各侵入口に対応して捕集パターンＰを形成することで、筐体のどこから液体が侵入したのかを容易に特定できる。
【００３０】
上述した補修パターンＰによる効果を検証するため、捕集パターンＰを設けない従来のノートＰＣと、捕集パターンＰを設けた本実施形態のノートＰＣに対し、液体浸漬試験を実施した。その結果について以下に考察する。なお、この試験では、ノートＰＣの内部に侵入したときに回路を腐食させ易い有機酸の１つであるクエン酸を用いた。
【００３１】
まず、捕集パターンＰを持たない従来のノートＰＣの機器本体の斜め上方から、５００ミリリットルのペットボトルに用意したクエン酸水溶液を振りかけた。この結果、一部のクエン酸水溶液がＳＤメディアスロットおよびＯＤＤメディア周辺から筐体内に侵入したことが目視確認できた。
【００３２】
１週間後、このノートＰＣを分解して内部を確認したところ、基板１の表面１ａ上のはんだ接合部、および電子部品のリードの一部に白色の腐食物が発生していることが確認できた。この白色腐食物を赤外分光分析（ＦＴ−ＩＲ）にかけたところ、有機酸塩が検出された。また、この白色腐食物を走査型電子顕微鏡（ＳＥＭ）／エネルギー分散Ｘ線マイクロアナライザ（ＥＤＸ）で分析したところ、Ｃ、Ｏ、Ｓｎが検出され、ＲＴ−ＩＲの結果を支持するデータが得られた。この結果により、ノートＰＣの内部に有機酸が混入したことが確認できた。
【００３３】
しかし、このような腐食物に対する分析では、はんだ成分との反応物としての分析結果が得られるのみで、試験に用いた液体がクエン酸であることを判定することは難しい状況であった。
【００３４】
これに対し、捕集パターンＰを有する本実施形態のノートＰＣに同じ試験を実施して、１週間後にこのノートＰＣを分解して内部を確認したところ、基板１の表面１ａ上のはんだ接合部や電子部品のリードに目立った腐食物を確認することはできなかった。
【００３５】
一方、捕集パターンＰの溝を光学顕微鏡で観察したところ、ＳＤメディアスロット周辺の筐体内面に設けた補修パターンＰで、溝内にトラップした液体が乾燥して付着した残渣物を確認できた。この際、当該捕集パターンＰの外観が、検査前のものと比較して、色や形などの見た目が違って見えたことから、目視でも残渣物の存在をある程度確認できた。
【００３６】
捕集パターンＰは筐体の内面に形成してあるため、液体が筐体内に侵入して溝を通って流れない限り捕集パターンＰの見た目が変化することはない。言い換えると、捕集パターンＰの見た目が変化（光沢がなくなるなど）したことにより、当該捕集パターンＰを介して筐体内に液体が侵入したことを判定できる。確認のため、補修パターンＰの溝に付着している残渣物を取り出してＦＴ−ＩＲで分析したところ、クエン酸のＩＲスペクトルと一致した。
【００３７】
以上の結果から、本実施形態の捕集パターンＰを設けることで、基板１に実装した電子部品や配線に液体が導かれることを防止できるとともに、液体の侵入経路および液体成分の特定を容易にできることが分かった。
【００３８】
また、一方で、ユーザーに対してこの捕集手段についての説明を加えることで、液体が筐体内に侵入した場合における原因の判定結果を受け入れてもらい易くなり、よりスムーズなコミュニケーションが可能となる。
【００３９】
次に、第２の実施形態について図９および図１０を参照して説明する。図９は、第２の実施形態に係る電子機器の一例としてのノートＰＣ２０の部分拡大図であり、図１０は、このノートＰＣ２０の機器本体１２の表面側の筐体１３を取り除いた状態の部分拡大外観図である。なお、ここでは、上述した第１の実施形態と同様に機能する構成要素には同一符号を付してその詳細な説明を省略する。
【００４０】
本実施形態のノートＰＣ２０は、キーボード１５を取り付けるための筐体１３の開口部１６の縁に捕集パターンＰを有する。図１０に示すようにキーボード１５を取り外すと、基板１の表面１ａ上にインシュレータ２１が配置されている。しかし、開口部１６の周縁部の隙間（侵入口）から液体が侵入すると、インシュレータ２１の縁を介して基板１に液体が導かれてしまう場合がある。このため、本実施形態のノートＰＣ２０は、開口部１６の縁に捕集パターンＰを備えている。
【００４１】
この捕集パターンＰも、上述した第１の実施形態の捕集パターンＰと同様に機能し、開口部１６の隙間を介して侵入した液体に毛細管力を作用させ、捕集パターンＰの微細な流路に液体をトラップする。
【００４２】
以上のように、本実施形態においても、上述した第１の実施形態と同様の効果を奏することができ、筐体内へ侵入した液体を捕集することができ、液体の侵入経路や成分を特定することもできる。
【００４３】
図１１は、第３の実施形態に係る電子機器としてのデスクトップ型のパーソナルコンピュータ３０（以下、単に、デスクトップＰＣ３０と称する）を背面側から見た外観概略図である。
【００４４】
このデスクトップＰＣ３０は、機器本体３２の背面側の筐体３４に、筐体３４を貫通して形成された複数本のスリット孔を並べた通気孔３６（侵入口）を有する。このため、本実施形態では、これらの通気孔３６をカバーするサイズの捕集パターンＰ（ここでは図示省略）を筐体３４の内面に形成した。
【００４５】
本実施形態においても、上述した第１および第２の実施形態と同様の効果を奏することができ、通気孔３６を介して侵入した液体をトラップすることができ、液体の侵入経路および成分を容易に特定できる。
【００４６】
以下、図１２乃至図１７を参照して、図７および図１０の捕集パターンＰのいくつかの例について説明する。捕集パターンＰは、基本的に、毛細管現象を利用して液体を微細な流路内に吸引して捕集するものであり、その構造はいかなるものであっても良く、任意に選択可能である。
【００４７】
例えば、図１２の捕集パターンＰ１は、幅１００μｍ、深さ５０μｍ程度の微細な直線状の溝４１を同じ方向に等間隔で並べた構造を有する。これに対し、図１３の捕集パターンＰ２は、上述した捕集パターンＰ１の溝４１と直交する方向に延びた複数本の等間隔の溝４２を有する。また、図１４の捕集パターンＰ３は、図１２の捕集パターンＰ１と図１３の捕集パターンＰ２を組み合わせたような構造を有し、格子状の複数本の溝４３を有する。
【００４８】
図１５の捕集パターンＰ４は、正三角形の柱状の複数の突起４４を縦横に並べて有し、複数の突起４４の間に微細な流路４５を形成している。この流路４５も、毛細管現象によって液体を吸引する機能を有する。また、図１６の捕集パターンＰ５も同様に、複数の四角柱状の突起４６を並べて有し、複数の突起４６の間に微細な流路４７を形成している。
【００４９】
図１７の捕集パターンＰ６は、図示矢印Ｌ方向から侵入した液体を矩形の凹部４８に一旦溜めて、図示上方に向けて２方向に分岐したＹ字型の微細な流路４９によって凹所４８内の液体を吸引する。このように、捕集パターンＰの形状はいかなるものであっても良く、所望する方向に液体を導く流路を形成すれば良い。
【００５０】
以上述べた少なくともひとつの実施形態の電子機器によると、筐体が捕集パターンＰを有することにより、液体の侵入口の近くで液体を捕集することができ、且つ、液体の侵入経路および成分を容易に特定できる。
【００５１】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【００５２】
例えば、上述した実施形態では、電子機器の筐体の侵入口の近くに捕集手段として捕集パターンＰを形成した場合について説明したが、これに限らず、捕集パターンＰの代わりに、或いは捕集パターンＰに加えて、図１８に示すようなシート状の多孔質部材５０を捕集手段として筐体の内面側に設けても良い。
【００５３】
この場合、多孔質部材５０は、筐体の内面に貼り付けても良いが、筐体をモールド成形する際に多孔質部材５０を一緒に埋め込んでも良い。多孔質部材５０は、液体が染み込み易い材料であることが望ましく、液体が染み込んだ場合には、図１８に示すように、その状態を目視確認できるものであることが望ましい。
【００５４】
また、この多孔質部材５０を筐体の隙間（侵入口）に沿って連続して配置してしまうと液体の侵入場所を正確に特定することが難しくなるので、このような場合には、小さく分割した複数の多孔質部材５０を隙間に沿って点在させることが望ましい。
【符号の説明】
【００５５】
１…基板、１ａ…表面、２…コンデンサ、４…電源ジャック、６…ヒューズ、８…コネクタ類、１０…ノートＰＣ、１１…表示筐体、１２…機器本体、１３…表面側の筐体、１３ａ…筐体部分、１３ｂ…孔群、１４…背面側の筐体、１５…キーボード、１６…開口部、１７…マウスパッド、１８…開口部、１９…通気孔、２１…インシュレータ、３６…通気孔、５０…多孔質部材、Ｐ…捕集パターン。
【図１】
2014229707.tif 000003
【図２】
2014229707.tif 000004
【図３】
2014229707.tif 000005
【図４】
2014229707.tif 000006
【図５】
2014229707.tif 000007
【図６】
2014229707.tif 000008
【図７】
2014229707.tif 000009
【図８】
2014229707.tif 000010
【図９】
2014229707.tif 000011
【図１０】
2014229707.tif 000012
【図１１】
2014229707.tif 000013
【図１２】
2014229707.tif 000014
【図１３】
2014229707.tif 000015
【図１４】
2014229707.tif 000016
【図１５】
2014229707.tif 000017
【図１６】
2014229707.tif 000018
【図１７】
2014229707.tif 000019
【図１８】
2014229707.tif 000020